(57)【要約】【課題】カバーの取り付け、及び取り外し方法を容易に理解することができる照明用カバー及びこの照明用カバーを備えた照明器具を提供する。【解決手段】光源を備えた器具本体に取り付けられ、光源を覆い光源からの光を出射する光出射面を備える照明用カバーにおいて、光出射面に照明用カバーの取り付け、及び取り外し方法が表記された表記部を備える。表記部は、手の置き位置を示した略原寸大の手の型と、取り付け、及び取り外しの際の照明用カバーの回転方向を示した矢印とを備え、照明用カバーの取り付け、及び取り外し作業の作業順序を示した連番が付されている。また表記部は、光源が点灯状態にある場合と消灯状態にある場合とでは色が異なり、光源が点灯状態にある場合と比べて、光源が消灯状態にある場合に視認しやすい色となる塗料により表記されている。【選択図】図１
2010153197.tif 000002
【特許請求の範囲】
【請求項１】
光源を備えた器具本体に取り付けられ、前記光源を覆い該光源からの光を出射する光出射面を備える照明用カバーにおいて、
前記光出射面に、前記照明用カバーの着脱方法を示した表示部を備えていることを特徴とする照明用カバー。
【請求項２】
前記表示部は、手の置き位置を示した略原寸大の手の型と、着脱の際の前記照明用カバーの回転方向を示した矢印と、前記手の型、及び前記矢印の近傍に表示され、前記照明用カバーの着脱作業の作業順序を示した数字と、から構成されていることを特徴とする請求項１に記載の照明用カバー。
【請求項３】
前記表示部は、前記光源の点灯時に該光源から放射される熱を受けて視認し難い色になる材料から形成されていることを特徴とする請求項１又は２に記載の照明用カバー。
【請求項４】
前記材料は、示温塗料であることを特徴とする請求項３に記載の照明用カバー。
【請求項５】
前記表示部は、前記光出射面に刻印されていることを特徴とする請求項１又は２に記載の照明用カバー。
【請求項６】
請求項１乃至５のいずれか１項に記載の照明用カバーを備えたことを特徴とする照明器具。
【発明の詳細な説明】
【技術分野】
【０００１】
本発明は、カバーの取り付け、及び取り外し方法に関する情報を記載した照明用カバー、及びこの照明用カバーを備えた照明器具に関する。
【背景技術】
【０００２】
室内に設置される照明器具として、天井に設置された取付け具に直付けする、いわゆるシーリングランプが用いられている。このような照明器具から照射される光を均一にするため、光源が取り付けられた照明器具本体に白色のカバーが取り付けられているものが多い。そして、照明器具に取り付けられた光源が点灯しなくなった場合には、カバーの取り付け、及び取り外し作業が行われ、光源の交換が行われる。
【０００３】
ところが、カバーの取り付け、及び取り外し作業は、前述したような光源の交換時等に限られる。そのため、たとえカバーの取り付け、及び取り外し作業を行ったことがある者でも、次の作業時にはカバーの取り付け、及び取り外し方法が分からなくなり、再度取扱説明書を見なければならないという煩わしさがあった。また、図４に示すように、カバー４０の外周付近にカバー４０の取り付け、及び取り外し方法が記載されたラベル４１が貼付され、取扱説明書を紛失等した場合にも作業が行えるように配慮された照明器具もある。しかしながら、天井に直接取り付けられている照明器具は高所にあるため、このような照明器具に貼付されたラベル４１の記載を確認するのは困難である。また、ラベル４１の寸法にも制約があり、記載できる内容は限られていた。
【０００４】
特許文献１には、カバーを照明器具本体に係脱する場合に容易に作業が行えるとする照明器具が開示されている。
【０００５】
【特許文献１】特開２００５−３１７３３５号公報
【発明の開示】
【発明が解決しようとする課題】
【０００６】
ところが、照明器具のカバーを容易に係脱できたとしても、その係脱方法を忘却してしまっては前述したような煩わしさは解消されない。
【０００７】
本発明は、上記問題点を解決するためになされたものであり、カバーの取り付け、及び取り外し方法を容易に理解することができる照明用カバー、及びこの照明用カバーを備えた照明器具を提供することを目的とする。
【課題を解決するための手段】
【０００８】
上記目的を達成するため、本発明に係る照明用カバーは、光源を備えた器具本体に取り付けられ、前記光源を覆い該光源からの光を出射する光出射面を備える照明用カバーにおいて、前記光出射面に、前記照明用カバーの着脱方法を示した表示部を備えていることを特徴とする。
【０００９】
また、上記目的を達成するため、本発明に係る照明器具は、上記照明用カバーを備えていることを特徴とする。
【発明の効果】
【００１０】
本発明によれば、カバーの取り付け、及び取り外し方法を容易に理解することができる照明用カバー及びこの照明用カバーを備えた照明器具を提供することができる。
【発明を実施するための最良の形態】
【００１１】
以下、本発明の実施形態に係る照明用カバー、及びこの照明用カバーを備えた照明器具を図面を参照して説明する。
【００１２】
図１は、本発明の実施形態に係る照明用カバー２０を示した斜視図である。この照明用カバー２０は白色のプラスチックから構成されており、例えば熱可塑性樹脂であるアクリル樹脂、ポリカーボネート樹脂、ポリプロピレン樹脂等の公知のものから構成されている。照明用カバー２０が、後述する光源を備えた照明器具本体３０（図２）に取り付けられることで、光源から出射された光は照明用カバー２０の光出射面２１から均一に出射される。このように、光源からの光が照明用カバー２０を介して出射されることにより、周囲を均一に照射することができる。
【００１３】
照明用カバー２０の光出射面２１には、照明用カバー２０の取り付け、及び取り外し作業を補助するための複数の補助情報２５（図に示すように複数ある補助情報２５ａ，２５ｂ，２５ｃ，２５ｄを総称する場合は、単に補助情報２５と記載する）が印刷されている。図に示すように補助情報２５は、照明用カバー２０の取り付け、及び取り外し作業の順序を記した数字や、推奨する手の置き位置を表した手の型や、照明用カバー２０の回転させる方向を示した矢印等から構成されている。具体的には、第１の補助情報２５ａは光出射面２１に印刷された作業順序を表した数字“１”と、推奨する手の置き位置を表した原寸大の手の型とから構成されている。なお、第１の補助情報２５ａは、照明カバー２０を天井に取り付けられた照明器具本体３０（図２参照）まで押し上げるための手の位置を表すとともに、後述するように、照明用カバー２０と照明器具本体３０とを所定の位置関係とするために用いられる。また、第２の補助情報２５ｂは光出射面２１に印刷された作業順序を表した数字“２”と、推奨する手の置き位置を表した原寸大の手の型とから構成されている。第２の補助情報２５ｂは、第１の補助情報２５ａと同様、照明用カバー２０を天井に取り付けられた照明器具本体３０まで押し上げるために推奨する手の位置を表している。また、第３の補助情報２５ｃは光出射面２１に印刷された作業順序を表した数字“３”と、照明用カバー２０を照明器具本体３０に固定する回転方向を示した矢印とから構成されている。なお、照明用カバー２０と照明器具本体３０とが固定される構成については後述する。また、第４の補助情報２５ｄは光出射面に印刷された作業順序を表した数字“３´”と、照明用カバー２０を照明器具本体３０から取り外すための回転方向を示した矢印とから構成されている。
【００１４】
次に、照明用カバー２０を照明器具本体３０に取り付ける方法を、図２を参照して説明する。図２は、照明用カバー２０の取り付け作業の様子を示した概要図である。なお、図２（ａ）に示す照明器具本体３０は、予め室内等の天井に取り付けられた状態にある。まず、照明器具本体３０について簡単に説明する。
【００１５】
照明器具本体３０は、光源である２本の蛍光灯３１と、所定の角度毎に照明器具本体３０に取り付けられ、照明用カバー２０を照明器具本体３０に固定するためのカバー取付具３２と、照明器具本体３０に印刷され、照明用カバー２０の所定位置と合わせる箇所を示した基準線３３とを備えている。
カバー取付具３２は、開放部が閉じた断面略コの字状をなしている。このカバー取付具３２の開放部に、カバー取付具３２と等角度毎に照明用カバー２０の裏面に形成されたＬ字状の差込具２８を当接させ、さらにその状態から差込具２８をカバー取付具３２に挿入することで、閉じた開放部は開かれ、差込具２８はカバー取付具３２に保持される。これにより、照明用カバー２０は照明器具本体３０に取り付けられる。本発明に係る照明器具１０では、後述するように照明用カバー２０を照明器具本体３０に押し当てた状態で、所定の方向に回転（右回転）させることにより、照明用カバー２０は照明器具本体３０に取り付けられる。
【００１６】
このような、天井に取り付けられた照明器具本体３０に照明用カバー２０を取り付ける場合には、先ず、図２（ａ）に示すように、第１の補助情報２５ａ、及び第２の補助情報２５ｂを構成する原寸大の手の型に合わせて両手を添えて、照明用カバー２０を照明器具本体３０にまで押し上げる。この時、第１の補助情報２５ａの手の型に置いた左手２７を、照明器具本体３０に印刷された複数の基準線３３のうちのいずれか１つに合わせる。こうすることにより、照明器具本体３０と照明用カバー２０とを所定の位置関係とすることができる。次に、第２の補助情報２５ｂの手の型に置いた右手２６で照明用カバー２０を押し上げ、照明器具本体３０と照明用カバー２０とを当接させる。
【００１７】
次に、図２（ｂ）に示すように、第３の補助情報２５ｃに示された矢印に従い、照明用カバー２０を右回転させる。これにより、前述したように、照明用カバー２０に形成されたそれぞれの差込具２８は、カバー取付具３２に挿入、保持されて、照明用カバー２０は照明器具本体３０に固定される。
【００１８】
なお、照明器具本体３０に固定された照明用カバー２０を取り外す場合も、補助情報２５に基づいて容易に取り外すことができる。すなわち、まず、第１の補助情報２５ａ、及び第２の補助情報２５ｂの略原寸大の手の型に両手を置く。次に、第４の補助情報２５ｄに示された矢印に従い、照明用カバー２０を左回転させる。これにより、照明用カバー２０の差込具２８は、カバー取付具３２から抜け、照明用カバー２０を照明器具本体３０から取り外すことができる。
【００１９】
このように、照明用カバー２０の取り付け、及び取り外し方法を示した補助情報２５が印刷されていることにより、補助情報２５に従って作業するだけで照明用カバー２０の取り付け、及び取り外しができる。そのため、取扱説明書を探して、作業方法を確認するという煩わしさから解放される。さらに、取扱説明書等を紛失した際にも補助情報２５を確認するだけで容易に作業を行うことができる。
【００２０】
また、補助情報２５は、照明用カバー２０の表面全域にわたって表示させることができるため、図４に示したラベル４１と比べ、表示する情報量を格段に多くすることができる。また、補助情報２５の表示寸法も大きくとることができるため、補助情報２５を容易に視認することができる。
【００２１】
次に、本発明に係る補助情報２５の印刷の際に用いられる塗料について説明する。
【００２２】
補助情報２５は必要時のみ視認することができればよいため、蛍光灯３１の点灯時の照明器具１０使用時には視認しづらく、さらに、照明用カバー２０の取り付け、及び取り外し時には容易に視認できることが好ましい。例えば、所定の温度で色が変化する示温塗料を用いて補助情報２５を印刷する。具体的には、照明用カバー２０における蛍光灯３１の点灯時の温度と消灯時の温度との間の所定の温度にて変色する塗料であり、照明器具１０が使用される環境（使用される地域や設置箇所等）に依るが、３５乃至４５℃を所定の温度に設定するのが好ましい。
【００２３】
また、示温塗料は、蛍光灯３１が消灯状態にある場合には照明用カバー２０の白色をバックにして適度に印刷された補助情報２５が確認しやすい色（例えば、橙色、茶色等）で、蛍光灯３１の点灯時には白色に近い色となるものがよい。このような示温塗料で補助情報２５を印刷することで、蛍光灯３１が消灯状態にある場合には、図３（ａ）に示すように補助情報２５を容易に視認することができるが、蛍光灯３１が点灯状態にある場合には、図３（ｂ）に示すように白色に近い色に変色した補助情報２５を視認しづらくすることができる。
【００２４】
このような示温塗料を補助情報２５の印刷に使用することにより、蛍光灯３１の点灯時に照明器具１０の美観を損ねることは無い。一方で、照明用カバー２０の取り付け、及び取り外し時には、補助情報２５を容易に認識することができる。（照明用カバー２０の取り付け、及び取り外し作業は、照明器具１０が点灯した状態では行われない。）
【００２５】
なお、本発明は上述した実施形態に限られず、様々な変形及び応用が可能である。
上述した実施形態では、照明用カバー２０の取り付け、及び取り外し方法を表記した場合について説明したが、他の内容を表記することもできる。例えば、蛍光灯３１の取り替え方法を表記してもよいし、問い合わせのため製造業者の連絡先を表記してもよいし、さらにはこれらを複数表記してもよい。
また、表記する内容についても上記実施形態に限定されず、例えば、照明用カバー２０の取り付け、及び取り外し方法を図とその説明文とを用いて表記してもよい。
【００２６】
また、上記実施形態では、補助情報２５は所定の温度で色が変化すると説明したが、例えば、異なる温度間で色が漸次変化する変色温度剤で補助情報２５を印刷してもよい。また、蛍光灯３１の消灯時の温度から点灯時の温度になるにつれ、補助情報２５の色が薄くなるような塗料で補助情報２５を印刷してもよい。なお、本発明における色の変化とは、このような色の濃淡の変化も含むものとする。
【００２７】
また、上記実施形態では、補助情報２５の表記は印刷されたものであると説明したが、所定の温度で色が変化するラベルを光出射面に貼付してもよい。これにより、補助情報２５を必要としない場合には、貼付したラベルを剥がして照明器具１０を使用することができる。また、補助情報２５は照明用カバー２０に刻印されていてもよい。これにより、通常の生活環境において、照明器具１０に刻印された補助情報２５を目立たなくすることができる。
【図面の簡単な説明】
【００２８】
【図１】本発明の実施形態に係る照明用カバーを示した斜視図。
【図２】本発明の実施形態に係る照明用カバーの取り付け作業の様子（ａ），（ｂ）を示した概要図。
【図３】本発明の実施形態に係る照明器具を示したもので、（ａ）は消灯時における照明器具の側面図、（ｂ）は点灯時における照明器具の側面図。
【図４】一般に使用されている照明器具の概要図。
【符号の説明】
【００２９】
１０      照明器具
２０      照明用カバー
２５ａ    第１の補助情報
２５ｂ    第２の補助情報
２５ｃ    第３の補助情報
２５ｄ    第４の補助情報
３０      照明器具本体
３１      蛍光灯
３２      カバー取付具
【図１】
2010153197.tif 000003
【図２】
2010153197.tif 000004
【図３】
2010153197.tif 000005
【図４】
2010153197.tif 000006